(57)【要約】【課題】興趣の高い発光演出を行うことができると共に、装飾枠の剛性を向上させ、装飾枠の撓みを防止することができるパチンコ遊技機とする。【解決手段】パチンコ遊技機１で、所定の画像を表示する表示画面２６の周囲を覆うように遊技盤６に取り付けられた装飾枠４００を備えており、装飾枠４００にはその外周と内周を跨いで形成された発光部４０１を有しており、装飾枠４００は、枠状をなすように一体形成されて透光性を有する本体部材４１０と、発光部４０１に対応する間隙４１１，４１２を隔てて本体部材４１０の表面側に設けられた、遮光性を有するカバー部材４２０と、本体部材４１０の裏面側に配置されて、本体部材４１０における発光部４０１に対応する箇所を発光させる発光源４３０と、発光源４３０の裏面側に配置されて、枠状をなすように一体形成された補強部材４５０とを備えている。【選択図】図２２
2015110181.tif 000002
【特許請求の範囲】
【請求項１】
所定の画像を表示する表示画面を囲むように遊技盤に取り付けられた装飾枠を備えており、該装飾枠にはその外周と内周を跨いで形成された発光部を有しており、
前記装飾枠は、
枠状をなすように一体形成されて透光性を有する本体部材と、
前記発光部に対応する間隙を隔てて前記本体部材の表面側に設けられた、遮光性を有するカバー部材と、
前記本体部材の裏面側に配置されて、前記本体部材における前記発光部に対応する箇所を発光させる発光源と、
前記発光源の裏面側に配置されて、枠状をなすように一体形成された補強部材とを備えていることを特徴とするパチンコ遊技機。
【発明の詳細な説明】
【技術分野】
【０００１】
本発明はパチンコ遊技機に関し、特に、表示画面の周囲に装飾枠を備えたパチンコ遊技機に関する。
【背景技術】
【０００２】
従来、パチンコ遊技機の中には、図柄を表示する表示画面を取り囲むように配置された遊技盤中央の装飾枠に、表示画面をそれぞれ跨ぐように直線状の第１発光部及び第２発光部を設け、第１発光部及び第２発光部を発光させると共に、表示画面で第１発光部及び第２発光部と連なる表示を行うことで、遊技盤の中央でＸ字状の発光演出を行うパチンコ遊技機がある（例えば、特許文献１参照）。
【先行技術文献】
【特許文献】
【０００３】
【特許文献１】特開２００４−２８３２４６号公報
【発明の概要】
【発明が解決しようとする課題】
【０００４】
ここで、特許文献１のパチンコ遊技機では、第１発光部及び第２発光部に対応して透光性を有する部材を装飾枠に設ける必要がある。その際、装飾枠の外周と内周を跨いで透光性を有する部材が配置されるため、不透明な部材の間に透光性を有する部材を配置する必要があり、装飾枠が複数の部材に分割されることになってしまっていた。
【０００５】
このため、装飾枠全体の剛性が低下し、装飾枠が撓みやすくなる、という不具合が生じていた。その結果、装飾枠を遊技盤に取り付けた際に装飾枠の一部が遊技盤の盤面から浮き上がり、見栄えが悪くなったり、遊技球が衝突して装飾枠の損傷を招くなどの問題が生じる虞があった。
【０００６】
本発明は、このような事情に鑑みてなされたものであり、興趣の高い発光演出を行うことができると共に、装飾枠の剛性を向上させ、装飾枠の撓みを防止することができるパチンコ遊技機を提供することを目的とする。
【課題を解決するための手段】
【０００７】
かかる課題を解決するために、本発明の請求項１に係る発明は、所定の画像を表示する表示画面を囲むように遊技盤に取り付けられた装飾枠を備えており、該装飾枠にはその外周と内周を跨いで形成された発光部を有しており、前記装飾枠は、枠状をなすように一体形成されて透光性を有する本体部材と、前記発光部に対応する間隙を隔てて前記本体部材の表面側に設けられた、遮光性を有するカバー部材と、前記本体部材の裏面側に配置されて、前記本体部材における前記発光部に対応する箇所を発光させる発光源と、前記発光源の裏面側に配置されて、枠状をなすように一体形成された補強部材とを備えているパチンコ遊技機としたことを特徴とする。
【０００８】
請求項１に係る発明によれば、興趣の高い発光演出を行うことができると共に、透光性を有する本体部材で基本的な剛性を取って装飾枠の剛性を向上させ、装飾枠の撓みを防止することができる。
【図面の簡単な説明】
【０００９】
【図１】本発明の実施の形態におけるパチンコ遊技機を示す正面図である。
【図２】同パチンコ遊技機の窓枠が開放された状態を示す前方斜視図である。
【図３】同パチンコ遊技機の遊技盤を示す正面図である。
【図４】同パチンコ遊技機の遊技盤において遊技板を取り外した状態の正面図である。
【図５】同パチンコ遊技機の左右扉状装飾可動役物の閉状態の正面図である。
【図６】図５のＡ−Ａ断面図である。
【図７】同パチンコ遊技機の左右扉状装飾可動役物の第１開状態の正面図である。
【図８】同パチンコ遊技機の左右扉状装飾可動役物の全開状態の正面図である。
【図９】同パチンコ遊技機の下扉状装飾可動役物及び斜め突出装飾可動役物の正面図である。
【図１０】図９のＢ−Ｂ断面図である。
【図１１】同パチンコ遊技機の下扉状装飾可動役物の正面図である。
【図１２】同パチンコ遊技機の下扉状装飾可動役物の右側面図である。
【図１３】同パチンコ遊技機の下扉状装飾可動役物の背面図である。
【図１４】図９のＣ−Ｃ断面図である。
【図１５】図９のＤ−Ｄ断面図である。
【図１６】同パチンコ遊技機の斜め突出装飾可動役物の正面図である。
【図１７】図１６のＥ視図である。
【図１８】図１７のＦ−Ｆ断面図である。
【図１９】図１７のＧ−Ｇ断面図である。
【図２０】同パチンコ遊技機の装飾枠の正面図である。
【図２１】同パチンコ遊技機の装飾枠の斜視図である。
【図２２】同パチンコ遊技機の装飾枠の分解斜視図である。
【図２３】（ａ）同パチンコ遊技機による効果を説明するための比較例の図、（ｂ）同パチンコ遊技機による効果を説明するための他の比較例の図、（ｃ）同パチンコ遊技機による効果を説明するための図である。
【発明を実施するための形態】
【００１０】
以下、本発明の実施の形態におけるパチンコ遊技機について図面を参照しながら説明する。なお、以下の説明では、パチンコ遊技機を遊技者から見て、手前側をパチンコ遊技機の前側とし、奥側をパチンコ遊技機の後側として、前後方向を規定する。また、パチンコ遊技機を遊技者から見て、左手側をパチンコ遊技機の左側とし、右手側をパチンコ遊技機の右側として、左右方向を規定する。
【００１１】
まず、本実施の形態のパチンコ遊技機の全体的な構成について、図１〜図４を用いて説明する。図１〜図４に示すように、本実施の形態のパチンコ遊技機１は、主として、外枠２と、中枠３と、窓枠４と、により構成される枠体に、各種の遊技部品が取り付けられて形成される。
【００１２】
外枠２は、パチンコ遊技機１の外郭を成し、前後面が開口された略四角筒状に形成される枠体である。外枠２は、パチンコホール等の遊技場に設けられた台島に設置される。外枠２には、中枠３が設けられる。
【００１３】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１４】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１５】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１６】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１７】
次に、遊技盤６の構成について、図３及び図４を用いてさらに詳細に説明する。
【００１８】
遊技盤６は、図３に示すように、遊技板１０と、ガイドレール１１と、センター役物１２と、下部役物２１と、表示装置としての図柄表示装置１３と、可変入賞装置１４と、大入賞装置１５と、ゲート２０と、アウト口１６等により構成される。また、センター役物１２は、その周囲に装飾枠４００を備えており、当該装飾枠４００の内側に、装飾可動役物としての左右扉状装飾可動役物１００及び第１可動役物ユニットとしての下扉状装飾可動役物２００を有している。また、下部役物２１には、第２可動役物ユニットとしての斜め突出装飾可動役物３００を有している。
【００１９】
遊技板１０は、四隅が適宜に切り欠かれた略平板状に形成される部材である。遊技板１０には、遊技盤６を構成する各種の遊技部品が取り付けられる。
【００２０】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２１】
センター役物１２は、その外観により遊技板１０を装飾する部材である。センター役物１２は正面視で略枠状であって、その中央にセンター開口部２７が前後方向に貫通して形成される。センター役物１２は、遊技板１０を前後方向に貫通するように当該遊技板１０の中央から上部に渡って形成される孔（図示省略）に前方から挿入され、ボルト等によって取り付けられる。また、センター役物１２は、中央に表示装置としての図柄表示装置１３の表示画面２６を備えると共に、当該表示画面２６の周囲を覆う装飾枠４００を備えており、当該装飾枠４００の内側には、左右の両側部に装飾可動役物としての左右扉状装飾可動役物１００を有し、下部に第１可動役物ユニットとしての下扉状装飾可動役物２００を有している。なお、左右扉状装飾可動役物１００、下扉状装飾可動役物２００及び装飾枠４００の詳細については、後述する。
【００２２】
下部役物２１は、センター役物１２と同じく、その外観により遊技板１０を装飾する部材である。下部役物２１は正面視で略楕円状であって、その左右の両側部に第２可動役物ユニットとしての斜め突出装飾可動役物３００を有している。下部役物２１は、遊技板１０を前後方向に貫通するように当該遊技板１０の下部に形成される孔（図示省略）に前方から挿入され、ボルト等によって取り付けられる。なお、斜め突出装飾可動役物３００の詳細については、後述する。
【００２３】
表示装置としての図柄表示装置１３は、前方を臨むように配設された液晶等の表示画面２６に、図柄や数字等の変動（図柄遊技）を表示したり、所定の画像等を表示したりするように構成される装置である。図柄表示装置１３は、遊技板１０の後方に配置される。より詳細には、図柄表示装置１３の表示画面２６が、遊技板１０に取り付けられたセンター役物１２のセンター開口部２７の後方に配置される。これによって、前方からセンター開口部２７を介して表示画面２６に表示される図柄遊技を視認することができる。
【００２４】
ゲート２０は、上方から下方に遊技球が通過する開口部（図示省略）を有しており、遊技領域２５の左部であってセンター役物１２の左方に配置される。なお、ゲート２０を遊技球が通過すると図示しない制御装置に信号が送られ、これに応じて後述する可変入賞装置１４の左右一対の可動片２８が所定時間及び所定回数開閉動作し、始動入賞口１４ａに遊技球が入賞し易くなる。
【００２５】
可変入賞装置１４は、前記したゲート２０を遊技球が通過する等の所定の作動条件に応じて左右一対の可動片２８が所定時間及び所定回数開閉作動し、始動入賞口１４ａに遊技球が入球（入賞）し易い開放状態と入球（入賞）し難い閉塞状態とに切り替え可能に構成される装置である。可変入賞装置１４は、遊技領域２５の左右中央部であってセンター役物１２の上方に配置される。なお、可変入賞装置１４は、始動入賞口１４ａに遊技球が入球（入賞）すると図示しない制御装置に信号が送られ、図示しない賞球払出装置によって所定数の遊技球（賞球）が払い出されると共に、後述する変動状態が開始されるように構成される。
【００２６】
大入賞装置１５は、所定の大当たり抽選により大当たりが選択されると、可動板２３が手前下方に開いて大入賞口１５ａを開放し、遊技球が入球（入賞）可能に構成される装置である。大入賞装置１５は、遊技領域２５の右部であってセンター役物１２のの右方に配置される。なお、大入賞装置１５は、開放した大入賞口１５ａに遊技球が入球すると図示しない制御装置に信号が送られ、図示しない賞球払出装置によって所定数の遊技球（賞球）が払い出されるように構成される。
【００２７】
なお、図示は省略するが、遊技盤６の遊技領域２５には、前記した可変入賞装置１４や大入賞装置１５の他に、入賞口を有する適宜の入賞装置が配置されている。
【００２８】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、パチンコ遊技機１が設置されたパチンコホール等の遊技場側に回収される。
【００２９】
また、遊技盤６の遊技領域２５には、図示しない障害部材が配設されており、遊技領域２５内に放出された遊技球は障害部材に当たりながら遊技領域２５内を流下するようになっている。
【００３０】
次に、本実施の形態のパチンコ遊技機１の遊技構成について説明する。本実施の形態のパチンコ遊技機１では、遊技盤６の遊技領域２５に打ち込まれた遊技球が、当該遊技領域２５内を図示しない障害部材に当たりながら流下する。その際、遊技球がゲート２０を通過すると、図示しない制御装置に遊技球の通過信号が送られ、その結果、遊技球が１個入賞可能な程度しか開いていない閉塞状態の可変入賞装置１４の左右一対の可動片２８が所定時間及び所定回数開閉動作する開放状態となり、始動入賞口１４ａに遊技球が入賞し易くなる。
【００３１】
また、閉塞状態又は開放状態の可変入賞装置１４の始動入賞口１４ａに遊技球が入ると、図示しない制御装置に遊技球の入賞信号が送られ、その結果、賞球を払い出すと共に、変動表示遊技が開始される。本実施の形態では、遊技球が始動入賞口１４ａに入賞して変動表示遊技が開始されるまでは、図３に示すように、２つの左右扉状装飾可動役物１００及び下扉状装飾可動役物２００が全て閉じた閉状態（第１位置）となっており、第１発光源１３２、第２発光源１３３（図６参照）等も非発光の状態となっており、その後方に配置されている図柄表示装置１３の表示画面２６は、当該閉状態の左右扉状装飾可動役物１００及び下扉状装飾可動役物２００同士の真ん中に丁度開いている隙間２６ａから見えるだけとなっている。
【００３２】
そして、本実施の形態では、変動表示遊技が開始されると、まず、左右扉状装飾可動役物１００が第１発光源１３２、第２発光源１３３によって青色に発光すると共に、下扉状装飾可動役物２００が第３発光源２４０によって青色に発光し、さらに、左右扉状装飾可動役物１００と下扉状装飾可動役物２００がそれぞれ、第１駆動源としての第１モータ１５０（図５参照）、第２駆動源としての第２モータ２２１（図１３参照）の駆動でガタガタと動き、表示画面２６の隙間２６ａに、恐竜がこちらを覗いているような雰囲気の画像が表示される（具体的には、恐竜の目がギョロッと遊技者側を見ているような画像が表示される）。
【００３３】
その後、所謂完全外れの状態の場合には、そのまま変動表示遊技が終了し、所謂リーチ状態となる場合は、左右扉状装飾可動役物１００の２つの第１発光装飾部材１１０（図５参照）、下扉状装飾可動役物２００の第１可動体２１０（図９参照）のうちのいずれかが開いて第１開状態（第２位置）となり（例えば、左右扉状装飾可動役物１００の場合は、図７参照）、開いた位置の表示画面２６で、１〜９の図柄が変動する図柄遊技が行われる（図示省略）。なお、左右扉状装飾可動役物１００の２つの第１発光装飾部材１１０、下扉状装飾可動役物２００の第１可動体２１０の開き方と図柄遊技の行われ方については、いずれか１つが開いて１箇所で図柄遊技が行われるパターン（所謂シングルリーチ）、３つのうちの２つが開いて２箇所で図柄遊技が行われるパターン（所謂ダブルリーチ）、３つ全てが開いて３箇所で図柄遊技が行われるパターン（所謂トリプルリーチ）の各パターンが挙げられる。なお、シングルリーチ→ダブルリーチ→トリプルリーチと図柄遊技が行われる箇所が増加すると、見た目上の大当り確率が上がることとなる。
【００３４】
そして、１〜３箇所で行われる図柄遊技の少なくとも１箇所で、図柄が３又は７で停止した場合に大当りとなり、その後、大当り遊技が開始される。大当り遊技では、所定時間及び所定回数だけ大入賞口１５ａが開放され、遊技球が大入賞口１５ａに入賞すると所定の賞球を払い出すことが行われる。
【００３５】
なお、所謂リーチ状態となる場合で大当りとなる期待度が高い所謂スーパーリーチとなる場合には、左右扉状装飾可動役物１００の第１発光装飾部材１１０又は下扉状装飾可動役物２００の第１可動体２１０が開いた後に、第２発光装飾部材１２０又は第３可動体２３０も開いて全開状態となったり（例えば、左右扉状装飾可動役物１００の場合は、図８参照）、左右扉状装飾可動役物１００又は下扉状装飾可動役物２００の発光色が青色とは異なる他の色（例えば、赤色や虹色等）になったりする。
【００３６】
また、所謂スーパーリーチとなる場合に、下部役物２１の斜め突出装飾可動役物３００の２つの第２可動体３２０（図９，図１０，図１４〜図１９参照）が斜め前方に動作する場合がある（２つの第２可動体３２０のうちの片方だけ動作する場合や、２つが双方とも動作する場合がある）。また、所謂スーパーリーチとなる場合には、装飾枠４００の４箇所の発光部４０１（図２０参照）が第４発光源４３０によって発光すると共に、表示画面２６が全開状態となって当該画面上に、発光部４０１同士を対角線状に結ぶ直線的画像２６ｂが表示されて、表示画面２６と装飾枠４００とで略Ｘ字を形成する発光演出を行う場合もある。
【００３７】
次に、本実施の形態の左右扉状装飾可動役物１００について、図５〜図８を用いて詳細に説明する。
【００３８】
本実施の形態の装飾可動役物としての左右扉状装飾可動役物１００は、図５〜図８に示すように、遊技盤６に設けられた左右一対の装飾可動役物であり、それぞれ、第１発光装飾部材１１０と第２発光装飾部材１２０を有している。この第１発光装飾部材１１０と第２発光装飾部材１２０は、光透過性を有する半透明の部材で構成されており、遊技盤６に対して左右方向に平行移動可能に構成されており、第１駆動源としての第１モータ１５０の回転軸に取り付けられた第１ピニオンギア１５１と第１ラック１４１からなる第１ラック＆ピニオン機構を経て駆動力が伝えられるものである。また、本実施の形態の第１発光装飾部材１１０及び第２発光装飾部材１２０は、第２発光装飾部材１２０の左右方向外側に設けられた収容凹部１２５に収容された第１発光装置１３０の第１発光基板１３１に配置された第１発光源１３２及び第２発光源１３３によって発光するようになっている。なお、図示は省略するが、第１発光装置１３０の第１発光基板１３１には、制御装置からの配線が接続されている。
【００３９】
本実施の形態の左右扉状装飾可動役物１００では、その上部において、遊技盤６に取り付けられた裏機構盤１６０の左右方向内側と外側に設けられたポール挿入部１６１，１６２に、左右方向に延びる案内ポール１７１が挿入されている。また、その下部において、左右方向に延びる前後２本の溝部からなる案内溝部１８０を有している。
【００４０】
また、第１発光装飾部材１１０は、上部に上部第１スライダ１４０が取り付けられると共に、下部に下部第１スライダ１１１が取り付けられている。そして、上部第１スライダ１４０は、左右方向内側と外側に設けられた第１ポール挿通部１４２，１４３に案内ポール１７１が挿通されて、上部第１スライダ１４０が左右方向の所定範囲を平行移動可能に構成されている。また、案内溝部１８０のうちの後側の溝部（図示省略）に、略直方体形状に形成された下部第１スライダ１１１が挿入されて左右方向の所定範囲を平行移動可能に構成されている。また、上部第１スライダ１４０には第１ラック１４１が形成されており、この第１ラック１４１が第１モータ１５０の回転軸に取り付けられた第１ピニオンギア１５１と歯合することで、第１モータ１５０の駆動力で第１発光装飾部材１１０が左右方向に平行移動するようになっている。
【００４１】
また、第２発光装飾部材１２０は、第１発光装飾部材１１０の前方に重なるように配置されており、上部に上部第２スライダ１２１が取り付けられると共に、下部に下部第２スライダ１２４が取り付けられている。そして、上部第２スライダ１２１は、上部第１スライダ１４０の内部に配置されており、また、筒状に形成された第２筒状部１２２を有しており、これに案内ポール１７１が挿通されて、上部第１スライダ１４０の内部の所定範囲を左右方向に平行移動可能に構成されている。また、案内溝部１８０のうちの前側の溝部（図示省略）に、略直方体形状に形成された下部第２スライダ１２４が挿入されて左右方向の所定範囲を平行移動可能に構成されている。
【００４２】
また、上部第２スライダ１２１に設けられたバネ取付部１２３と、裏機構盤１６０の内側位置に設けられたバネ取付部１６５の間に、第１バネ１７２が取り付けられており、これにより、上部第２スライダ１２１が左右方向の内側に付勢されて、閉状態では、図５に示すように、第２発光装飾部材１２０は左右方向の内側に位置するようになっている。また、この状態では、第２発光装飾部材１２０は第１モータ１５０とは連結されておらず、独立して動くことが可能な状態となっている。
【００４３】
また、図５に示すような閉状態（第１位置）のときには、上部第１スライダ１４０の内側端部が裏機構盤１６０の上部内側壁１６３に当接すると共に、下部第１スライダ１１１の内側端部が案内溝部１８０の下部内側壁１８１に当接することで、第１発光装飾部材１１０が閉状態の正しい位置に位置決めされるようになっている。また、その際、上部第２スライダ１２１がバネの付勢力によって内側に付勢されると共に当該上部第２スライダ１２１の内側端部が図示しない内側当接部に当接し、下部第２スライダ１２４の内側端部が案内溝部１８０の下部内側壁１８１に当接し（図５では図示省略）、さらに、上部第１スライダ１４０の第１外側突部１４５が、上部第２スライダ１２１の外側端部に当接して内側に押すことにより、第２発光装飾部材１２０が閉状態の正しい位置に位置決めされるようになっている。
【００４４】
また、図５に示すような閉状態（第１位置）から図７に示すような第１開状態（第２位置）に第１発光装飾部材１１０が移動する際には、第１モータ１５０の駆動力で第１ピニオンギア１５１から第１ラック１４１を介して上部第１スライダ１４０を外側に平行移動させると、それに伴って下部第１スライダ１１１も案内溝部１８０のうちの後側の溝部を平行移動する。そして、上部第１スライダ１４０の第１内側突部１４４が、上部第２スライダ１２１の内側端部に当接する位置で、上部第１スライダ１４０が停止するように第１モータ１５０を駆動させることで、第１発光装飾部材１１０が第１開状態の正しい位置に位置決めされるようになっている。なお、閉状態から第１開状態になる際には、第２発光装飾部材１２０は移動せずに停止しており、第２発光装飾部材１２０の荷重は第１モータ１５０に加わらないようになっている。これにより、第１モータ１５０の負荷を軽減するようになっている。
【００４５】
また、図７に示すような第１開状態（第２位置）から図８に示すような全開状態に第１発光装飾部材１１０及び第２発光装飾部材１２０が移動する際には、第１モータ１５０の駆動力で第１ピニオンギア１５１から第１ラック１４１を介して上部第１スライダ１４０を外側に平行移動させ、上部第１スライダ１４０の外側端部が、裏機構盤１６０の上部外側壁１６４に当接するまで平行移動させる。また、それに伴って下部第１スライダ１１１も案内溝部１８０のうちの後側溝部を平行移動し、下部第１スライダ１１１の外側端部が、案内溝部１８０の下部外側壁１８２に当接するまで平行移動させる。そして、上部第１スライダ１４０の外側端部及び下部第１スライダ１１１の外側端部が、それぞれ上部外側壁１６４及び下部外側壁１８２に当接することで、第１発光装飾部材１１０が全開状態の正しい位置に位置決めされるようになっている。
【００４６】
また、その際、第１モータ１５０の駆動力が第１バネ１７２の付勢力に勝っているため、上部第１スライダ１４０の第１内側突部１４４が上部第２スライダ１２１の内側端部に当接して当該上部第２スライダ１２１を外側に押すことで、上部第２スライダ１２１も、バネの付勢力に反して内側端部が第１内側突部１４４に当接したまま外側に平行移動させられ、上部第１スライダ１４０の外側端部が、裏機構盤１６０の上部外側壁１６４に当接することで、第２発光装飾部材１２０が全開状態の正しい位置に位置決めされるようになっている。
【００４７】
また、図８に示すような全開状態から図７に示すような第１開状態（第２位置）に第１発光装飾部材１１０及び第２発光装飾部材１２０が移動する際には、第１モータ１５０の駆動力で第１ピニオンギア１５１から第１ラック１４１を介して上部第１スライダ１４０を内側に平行移動させると、それに伴って下部第１スライダ１１１も案内溝部１８０のうちの後側の溝部を平行移動する。また、その際、上部第２スライダ１２１を外側に押す第１内側突部１４４が内側に移動していくため、第１バネ１７２の付勢力により、上部第２スライダ１２１も、内側端部が第１内側突部１４４に当接したまま内側に平行移動する。そして、上部第２スライダ１２１の内側端部が図示しない内側当接部に当接し、下部第２スライダ１２４の内側端部が案内溝部１８０の下部内側壁１８１に当接する位置で、上部第１スライダ１４０が停止するように第１モータ１５０を駆動させることで、第１発光装飾部材１１０及び第２発光装飾部材１２０が第１開状態の正しい位置に位置決めされるようになっている。
【００４８】
なお、全開状態から第１開状態になる際の第２発光装飾部材１２０の移動は、第１モータ１５０の駆動力ではなく、第１バネ１７２の付勢力により行われるため、第２発光装飾部材１２０の荷重は第１モータ１５０に加わらないようになっている。さらに、第２発光装飾部材１２０の移動の際は、上部第２スライダ１２１で上部第１スライダ１４０を内側に押すような形で移動するため、第１発光装飾部材１１０に対する第１モータ１５０の駆動力を第１バネ１７２の付勢力で補助するようになっている。これにより、第１モータ１５０の負荷を軽減するようになっている。
【００４９】
また、図７に示すような第１開状態（第２位置）から図５に示すような閉状態（第１位置）に第１発光装飾部材１１０が移動する際には、第１モータ１５０の駆動力で第１ピニオンギア１５１から第１ラック１４１を介して上部第１スライダ１４０を内側に平行移動させ、上部第１スライダ１４０の内側端部が、裏機構盤１６０の上部内側壁１６３に当接するまで平行移動させる。また、それに伴って下部第１スライダ１１１も案内溝部１８０のうちの後側溝部を平行移動し、下部第１スライダ１１１の内側端部が、案内溝部１８０の下部内側壁１８１に当接するまで平行移動させる。
【００５０】
そして、上部第１スライダ１４０の内側端部及び下部第１スライダ１１１の内側端部が、それぞれ上部内側壁１６３及び下部内側壁１８１に当接することで、第１発光装飾部材１１０が閉状態の正しい位置に位置決めされるようになっている。なお、第２発光装飾部材１２０は、第１開状態で、上部第２スライダ１２１の内側端部が図示しない内側当接部に当接し、下部第２スライダ１２４の内側端部が案内溝部１８０の下部内側壁１８１に当接した位置から内側には動かないため、移動せずに停止している。そのため、この移動時には、第２発光装飾部材１２０の荷重は第１モータ１５０に加わらないようになっており、これにより、第１モータ１５０の負荷を軽減するようになっている。
【００５１】
なお、本実施の形態の裏機構盤１６０には、左右扉状装飾可動役物１００の上部における左右方向の内側に光センサからなる内側位置検出センサ１９１、外側に同じく光センサからなる外側位置検出センサ１９２が配置されており、内側位置検出センサ１９１と外側位置検出センサ１９２の間の所定位置には、図示しない中間位置検出センサが配置されている。また、上部第１スライダ１４０には、左右方向の内側に内側位置検出片１４６、外側に外側位置検出片１４７が配置されている。
【００５２】
そして、内側位置検出片１４６及び外側位置検出片１４７は上部第１スライダ１４０の移動に伴って移動し、図５に示すような閉状態（第１位置）となるときに、内側位置検出片１４６が内側位置検出センサ１９１を遮る位置に達するようになっており、これにより、閉状態の位置に第１発光装飾部材１１０が移動してきたことを検出することができるようになっている。また、図７に示すような第１開状態（第２位置）となるときに、内側位置検出片１４６が中間位置検出センサを遮る位置に達するようになっており、これにより、第１開状態の位置に第１発光装飾部材１１０が移動してきたことを検出することができるようになっている。また、図８に示すような全開状態となるときに、外側位置検出片１４７が外側位置検出センサ１９２を遮る位置に達するようになっており、これにより、全開状態の位置に第１発光装飾部材１１０が移動してきたことを検出することができるようになっている。
【００５３】
本実施の形態の第１発光装置１３０は、１つの発光基板である第１発光基板１３１にＬＥＤからなる第１発光源１３２と第２発光源１３３が一体に配置された構成となっており、当該第１発光装置１３０が第２発光装飾部材１２０の左右方向外側に設けられた収容凹部１２５に嵌め込まれている。この第１発光装置１３０は、図６の矢印Ｙ１に示すように、第１発光源１３２の光軸が、第２発光装飾部材１２０の側面に光を照射し、当該照射された光を第２発光装飾部材１２０の内部で乱反射させることで、第２発光装飾部材１２０を発光させるように、第１発光基板１３１の取付角度や取付位置が調整されている。
【００５４】
また、この第１発光装置１３０は、図６の矢印Ｙ２に示すように、第２発光源１３３から照射された光の光軸が、第２発光装飾部材１２０の裏面側の空間を通って、閉状態（第１位置）の第１発光装飾部材１１０の表面と交わり、第１発光装飾部材１１０を発光させるように、第１発光基板１３１の取付角度や取付位置が第２発光装飾部材１２０に対して傾斜して配置されるように調整されている。
【００５５】
つまり、本実施の形態では、第１発光装飾部材１１０にも第２発光装飾部材１２０にも適切な光を照射できる光軸となるように、第１発光基板１３１の取付角度や取付位置が、取り付けられる第２発光装飾部材１２０に対して傾斜して配置されるように調整されている。なお、本発明において光軸とは、円錐状に拡がる光の中心を通る軸であり、光度の高い部分を指すものである。このように、発光源が取り付けられる第２発光装飾部材１２０だけでなく、発光源が取り付けられていない第１発光装飾部材１１０に対しても光度の高い部分である光軸が交わるように発光源を配置しているため、第１発光装飾部材１１０を明るく照らすことができるものである。
【００５６】
また、本実施の形態では、第２発光装飾部材１２０の背面側に収容凹部１２５を設け、当該収容凹部１２５に第１発光基板１３１を配置するようにしたため、収容凹部１２５を設けずに背面側に第１発光基板１３１を配置する場合に比べて、第１発光基板１３１を前方側（第１発光装飾部材１１０から離れる方向）に偏寄して配置することができる。このため、第１発光装飾部材１１０と第２発光装飾部材１２０を近づけて配置した場合でも、第１発光装飾部材１１０が第１開状態から閉状態の方向に移動しても第１発光基板１３１と衝突することを防ぎ、第１発光基板１３１が第１発光装飾部材１１０の移動に干渉することを回避できるように第１発光基板１３１を配置し易くなるものである。
【００５７】
そして、前記したように、第１発光装飾部材１１０は、通常遊技状態中は、図５に示すように、閉じた閉状態の第１位置に配置されている。また、通常遊技状態中は第２発光装飾部材１２０も閉状態に配置されている。これらによって、表示画面２６のほとんどが覆われており、表示画面２６の真ん中の隙間２６ａだけが視認可能になっている。
【００５８】
それから、遊技球が始動入賞口１４ａに入賞して変動表示遊技が開始されると、第１発光源１３２で第２発光装飾部材１２０に光を照射し、第２発光源１３３で第１発光装飾部材１１０に光を照射して、第１発光装飾部材１１０と第２発光装飾部材１２０を発光させる。詳述すると、本実施の形態では、第１発光源１３２で第２発光装飾部材１２０の側面に光を照射し、当該照射された光を第２発光装飾部材１２０の内部で乱反射させることで、第２発光装飾部材１２０を発光させる。また、本実施の形態では、第２発光源１３３から照射された光が、第２発光装飾部材１２０の裏面側の空間を通って第１発光装飾部材１１０の表面を照らし、第１発光装飾部材１１０を発光させる。
【００５９】
また、所謂リーチ状態となると、前記したように、第１モータ１５０を駆動させて、図７に示すように、第１発光装飾部材１１０を第１開状態となる第２位置まで外側に平行移動させる。また、所謂スーパーリーチとなるとき等には、第１モータ１５０をさらに駆動させて、図８に示すように、第１発光装飾部材１１０を第２発光装飾部材１２０に対して最も外側（最も重なる位置）まで移動させた後にさらに第１発光装飾部材１１０で第２発光装飾部材１２０を押して、双方の発光装飾部材１１０，１２０が連動して移動するようになっている。このようにして、第１発光装飾部材１１０と第２発光装飾部材１２０を全開状態とすることができる。なお、第１開状態及び全開状態のときには、第１発光装飾部材１１０は第２発光装飾部材１２０の後方に重なって隠れてしまうため、光らせる必要がなくなり、第１発光装置１３０のうち、第２発光源１３３で第２発光装飾部材１２０のみを照射するようにされる。
【００６０】
その後、スーパーリーチやリーチ状態が終了し、通常遊技状態となると、前記したように、全開状態から第１開状態、閉状態へと第１発光装飾部材１１０及び第２発光装飾部材１２０が移動して戻ることとなる。
【００６１】
次に、本実施の形態の下扉状装飾可動役物２００及び斜め突出装飾可動役物３００について、図９〜図１９を用いて詳細に説明する。
【００６２】
本実施の形態の第１可動役物ユニットとしての下扉状装飾可動役物２００は、図９〜図１３に示すように、遊技盤６における左右扉状装飾可動役物１００の下部に配置された装飾可動役物であり、光透過性を有する半透明の部材からなる第１可動体２１０と、該第１可動体２１０の前方に重なるように配置された光透過性を有する半透明の部材からなる第３可動体２３０を有しており、これらが遊技盤６に対して上下方向に平行移動可能に構成されている。この下扉状装飾可動役物２００は、第２駆動源としての第２モータ２２１の駆動力で回転する２つの第２ピニオンギア２２３と該第２ピニオンギア２２３と歯合して上下方向に延びる２つの第２ラック２２２からなる第１駆動機構としての第２ラック＆ピニオン機構２２０を経て、第１可動体２１０と第３可動体２３０に上下方向への駆動力が伝えられるものである。
【００６３】
そして、下扉状装飾可動役物２００は、通常遊技状態中は第１可動体２１０と第３可動体２３０の双方が最上方に位置して表示画面２６の下部を覆う閉状態となっている。また、変動表示遊技が開始されて、表示画面２６の下部で所謂リーチ状態となって図柄遊技が行われるときには、第１可動体２１０が所定量開いた第１開状態となり、表示画面２６を視認可能にさせて、図柄遊技を視認可能にする。さらに、所謂スーパーリーチ状態となるときには、第１可動体２１０と第３可動体２３０の双方が最下方まで開いた全開状態となるように、第１可動体２１０と第３可動体２３０が移動するようになっている。
【００６４】
また、本実施の形態の下扉状装飾可動役物２００は、第１可動体２１０及び第３可動体２３０の左右斜め下方向に第３発光源２４０を有しており、ここから発せられる光によって発光するようになっている。なお、図示は省略するが、本実施の形態の第３発光源２４０は、発光基板に配置された複数のＬＥＤで構成されている。
【００６５】
本実施の形態の下扉状装飾可動役物２００では、第１可動体２１０の下部に上下方向に延びる２つの第２ラック２２２が間隔を空けて左右に取り付けられており、双方が左右方向の内側を向くように配置されている。そして、この２つの第２ラック２２２が、裏機構盤１６０に設けられた２つの縦溝部（図示省略）に取り付けられ、第２ラック＆ピニオン機構２２０による駆動力で上下動することにより、第１可動体２１０が上下方向に移動するようになっている。
【００６６】
また、本実施の形態の下扉状装飾可動役物２００では、第３可動体２３０が、その下方に位置する２つの縦溝部（第１可動体を支持している縦溝部の前方に位置している。図示省略）に、上下動可能に取り付けられている。また、第３可動体２３０は、第２バネ２５０で上方に付勢されている。
【００６７】
そして、第１可動体２１０が閉状態から第１開状態に達すると、第１可動体２１０の一部（図示省略）が第３可動体２３０に当接し、さらに、第１開状態から全開状態へ移行する際には、第３可動体２３０が当接した第１可動体２１０によって押されて第２バネ２５０の付勢力に抗して移動し、第１可動体２１０と第３可動体２３０が同時に全開状態まで移動する。そのため、閉状態から第１開状態までは、第３可動体２３０は第２モータ２２１とは連結されておらず、独立して動くことが可能な状態となっている。
【００６８】
また、第１可動体２１０と第３可動体２３０が全開状態から第１開状態に戻る際には、第２ラック＆ピニオン機構２２０による駆動力で第１可動体２１０を上方へ移動させると、第２バネ２５０の付勢力で第３可動体２３０も第１可動体２１０と共に上方へ移動する。そして、第１開状態に達すると、第３可動体２３０が他の部材で係止されてそれ以上移動することができなくなり、第１可動体２１０が第１開状態から閉状態に戻る際には、第３可動体２３０は第１開状態の位置で停止したまま、第１可動体２１０のみが第２ラック＆ピニオン機構２２０による駆動力で上方へ移動し、閉状態に達するものである。
【００６９】
また、本実施の形態の第２可動役物ユニットとしての斜め突出装飾可動役物３００は、図９〜図１０に示すように、前記した下扉状装飾可動役物２００に対して遊技盤６上の下方に並べて配置されるものであり、図１４〜図１９に示すように、遊技盤６に配置されたカバー部材としてのベース部材３１０の表側に第２駆動機構３３０で駆動する恐竜の形をした２つの第２可動体３２０を支持するようになっている。
【００７０】
このうち、ベース部材３１０は、第１駆動機構としての第２ラック＆ピニオン機構２２０の前方側に配置されており、当該第２ラック＆ピニオン機構２２０の一部（ここでは第２モータ２２１と第２ピニオンギア２２３が配置された箇所付近）を覆って前方側に膨出した膨出部３１１を有している。また、膨出部３１１の左右方向に隣接した位置には、膨出部３１１に対して後方側に所定量引っ込んだ非膨出部３１３を有している。
【００７１】
そして、非膨出部３１３にはそれぞれ、ソレノイド３３１を有する第２駆動機構３３０で駆動される第２可動体３２０が支持されており、２つの第２可動体３２０は、図１７に示すように、ベース部材３１０において非膨出部３１３に隣接する膨出部３１１の前方側に向けて、互いに近づくように斜め前後方向に移動可能に配置されている。
【００７２】
さらに説明すると、第２可動体３２０は、図１６〜図１９に示すように、ベース部材３１０にはアーム部材３３２が回動自在に支持されており、当該アーム部材３３２の一端部３３３はソレノイド３３１に取り付けられている。また、アーム部材３３２の他端部３３４は恐竜の形をした第２可動体３２０に取り付けられており、ソレノイド３３１が上下動すると、それに応じてにアーム部材３３２が所定量回動し、その結果、第２可動体３２０が、互いに近づいたり離れたりするように斜め前後方向に揺動するようになっている。また、本実施の形態では、第２可動体３２０の恐竜の頭における下顎部分３２１が回動するようになっており、図１９に示すように、第２可動体３２０が互いに近づくように動いた際に、恐竜が口を大きく開けるように下方向に回動動作するように構成されている。
【００７３】
なお、前記した下扉状装飾可動役物２００と斜め突出装飾可動役物３００について別角度から説明すると、ベース部材３１０の表側の非膨出部３１３に互いに近づくように斜め前後方向に移動する２つの第２可動体３２０を有しており、ベース部材３１０のうち、第２可動体３２０同士が前方側で互いに近づく位置（本実施の形態では丁度中央の位置）の後方の部位が、図１４に示すように、２つの第２可動体３２０の移動領域と交わらないように前方に膨出して（本実施の形態では、断面視略台形状に膨出している）、裏側に所定の空間３１２を有する膨出部３１１となっており、この膨出部３１１の裏側の空間３１２に、下扉状装飾可動役物２００の第１駆動機構としての第２ラック＆ピニオン機構２２０が配置され、この第２ラック＆ピニオン機構２２０２２０で第１可動体２１０を駆動するように構成されている、とも言える。
【００７４】
そして、斜め突出装飾可動役物３００の２つの第２可動体３２０同士の移動領域によって必然的に生じるデッドスペース（空間３１２）に、下扉状装飾可動役物２００の第１駆動機構としての第２ラック＆ピニオン機構２２０を配置する構成とすることで、遊技盤６上に２つの可動役物ユニット（下扉状装飾可動役物２００，斜め突出装飾可動役物３００）を効率的に配置することができ、その結果、可動役物ユニット（下扉状装飾可動役物２００，斜め突出装飾可動役物３００）の配置スペースの省スペース化を図ることができる、とも言える。
【００７５】
また、本実施の形態では、図９及び図１５に示すように、膨出部３１１の裏側の空間３１２を活用して、第１駆動機構としての第２ラック＆ピニオン機構２２０と共にＬＥＤ３４０を有する発光基板が配置されている。すなわち、第１駆動機構としての第２ラック＆ピニオン機構２２０が膨出部３１１の上方に配置されており、膨出部３１１における下方位置に複数のＬＥＤ３４０を有する発光基板が配置されている。
【００７６】
次に、本実施の形態の装飾枠４００について、図２０〜図２２を用いて詳細に説明する。
【００７７】
本実施の形態の装飾枠４００は、前記したような所定の画像を表示する図柄表示装置１３の表示画面２６の周囲を覆うように遊技盤６に取り付けられたものであり、当該装飾枠４００は、その外周と内周を跨いで形成された複数の発光部４０１を有している（本実施の形態では発光部４０１を４箇所有している）。
【００７８】
また、装飾枠４００は、枠状をなすように一体形成されて透光性を有する本体部材４１０と、発光部４０１に対応する所定の間隙４１１，４１２を設けて本体部材４１０の表面側に略枠状に設けられた、遮光性を有する複数のカバー部材としての装飾カバー部材４２０と、本体部材４１０の裏面側に配置されて、本体部材４１０における発光部４０１に対応する箇所を発光させる発光源としての第４発光源４３０と、を備えている。なお、本実施の形態では、装飾カバー部材４２０同士の間隙４１１，４１２のうち、下方２箇所の間隙４１２には、当該間隙４１２の部分の本体部材４１０に所定形状の透明カバーを被せて、装飾カバー部材４２０同士の間隙４１２に段差がないような状態としている。
【００７９】
さらに、本実施の形態では、発光部４０１に対応する箇所に本体部材４１０と一体に形成された透光性を有する第１台板部材４１３，４１４が設けられている。また、発光部４０１に対応する箇所以外の箇所における本体部材４１０の裏面側に遮光性を有する複数の部材からなる第２台板部材４４０を有している。そして、この２種類の第１台板部材４１３，４１４と第２台板部材４４０とで、装飾枠４００を遊技盤６に取り付ける台板を構成している。また、本実施の形態では、本体部材４１０の裏面側に第２台板部材４４０が配置され、その裏面側に第４発光源４３０が配置されており、複数の第２台板部材４４０同士の間に設けられた発光部４０１に対応する間隙を介して、第４発光源４３０からの光を発光部４０１に照射するようになっている。
【００８０】
また、本実施の形態では、複数の第４発光源４３０が本体部材４１０の裏面側（第２台板部材４４０の裏面側）に配設されており、特に、上方２箇所の間隙４１１と４箇所の第１台板部材４１３，４１４の裏面側に対しては、すぐ裏面側に第４発光源４３０が配置されており、直接光を当てて当該部分を発光させるようになっている。また、下方２箇所の間隙４１２については、第４発光源４３０が本体部材４１０の一部及び第１台板部材４１４を介した裏面側に配設されており、当該第４発光源４３０からの光が第１台板部材４１４及びその前方に位置する透明な本体部材４１０（本実施の形態ではさらに透明カバー）を介して間隙４１２に達するようになっており、この光で発光するようになっている。
【００８１】
またさらに、本実施の形態では、第４発光源４３０のさらに裏面側に、枠状をなすように一体形成された補強部材４５０を有している。補強部材４５０は、装飾枠４００を裏面側から補強する役割を果たしている。
【００８２】
また、遊技者から見て枠状をなすように一体形成された本体部材４１０は、装飾カバー部材４２０並びに第１台板部材４１３，４１４及び第２台板部材４４０の板状部よりも奥行寸法（つまり厚み）が充分に大きいものである。また、本体部材４１０は、装飾カバー部材４２０、第１台板部材４１３，４１４及び第２台板部材４４０よりも剛性が高く形成されている。
【００８３】
そして、第４発光源４３０により発光部４０１に照射された光が、当該発光部４０１を構成する間隙４１１，４１２及び第１台板部材４１３，４１４を介して遊技者側から視認可能となって、複数の線状の光（本実施の形態では４箇所）が発光するようになっている。また、表示画面２６では、遊技演出によって発光部４０１と連続するように直線的画像２６ｂが表示される場合があり、当該直線的画像２６ｂと線状の発光部４０１とで、表示画面２６と装飾枠４００に掛けて、図２０に示すような略Ｘ字を表示する演出を行うように構成されている。なお、本実施の形態では、この直線的な発光演出は、２本描かれて略Ｘ字状となるようになっていたが、これに限るものではなく、１又は複数の適宜の略直線的な発光演出が行われるようになっていれば良い。
【００８４】
また、本実施の形態では、本体部材４１０に対して、表面側から装飾カバー部材４２０がネジ止め等によって取り付けられると共に、裏面側から第２台板部材４４０がネジ止め等によって取り付けられている。さらに、第４発光源４３０がネジ止め等により取り付けられた補強部材４５０が、第２台板部材４４０の裏面側にネジ止め等によって取り付けられた構成となっている。但し、これらの取付構造は一例であり、他の取付構造で取り付けられていても良い。
【００８５】
以上のように、本実施の形態のパチンコ遊技機１は、遊技盤６に、発光する装飾可動役物（左右扉状装飾可動役物１００）が設けられており、該装飾可動役物（左右扉状装飾可動役物１００）は、第１発光装飾部材１１０と第２発光装飾部材１２０とを有し、双方が互いに重なるように配置されており、前記第１発光装飾部材１１０は、前記第２発光装飾部材１２０に対して、該第２発光装飾部材１２０と重なる部分がより少なくなる第１位置（図５の閉状態）と前記第２発光装飾部材１２０と重なる部分がより多くなる第２位置（図６の第１開状態）の間で移動（平行移動）可能であり、前記第１発光装飾部材１１０又は前記第２発光装飾部材１２０に、第１発光源１３２と第２発光源１３３の２つの発光源が配設されており、前記第１発光源１３２は、前記第１発光装飾部材１１０と前記第２発光装飾部材１２０のうちの前記２つの発光源１３２，１３３が配設された側の発光装飾部材（第２発光装飾部材１２０）に光を照射可能となっており、前記第２発光源１３３は、少なくとも前記第１発光装飾部材１１０が前記第１位置（図５の閉状態）に位置しているときに、前記２つの発光源１３２，１３３が配設されていない側の発光装飾部材（第１発光装飾部材１１０）に光を照射可能となっているパチンコ遊技機１としたことを特徴とする。
【００８６】
そして、本実施の形態によれば、第１及び第２発光装飾部材１１０，１２０を発光させるための第１及び第２発光源１３２，１３３の双方が第１又は第２発光装飾部材１１０，１２０のいずれか一方に配設されることで、装飾可動役物（左右扉状装飾可動役物１００）の第１及び第２発光装飾部材１１０，１２０の充分な発光演出を行うことができ、かつ、配線の取り回しを簡素化することができる。
【００８７】
また、本実施の形態のパチンコ遊技機１は、遊技盤６上に並べて配置された第１可動役物ユニット（下扉状装飾可動役物２００）と第２可動役物ユニット（斜め突出装飾可動役物３００）を有しており、前記第１可動役物ユニット（下扉状装飾可動役物２００）は、第１可動体２１０と、該第１可動体２１０を駆動させる第１駆動機構（第２ラック＆ピニオン機構２２０）を有しており、前記第１駆動機構（第２ラック＆ピニオン機構２２０）の前方側には、該第１駆動機構（第２ラック＆ピニオン機構２２０）を覆って前方側に膨出した膨出部３１１と該膨出部３１１に隣接する非膨出部３１３を有するカバー部材（ベース部材３１０）を有し、前記第２可動役物ユニット（斜め突出装飾可動役物３００）は、前記カバー部材（ベース部材３１０）の前記非膨出部３１３に配置されて隣接する前記膨出部３１１の前方側に向けて斜め前方に移動可能な第２可動体３２０と、該第２可動体３２０を駆動させる第２駆動機構３３０を有しているパチンコ遊技機１としたことを特徴とする。
【００８８】
そして、本実施の形態によれば、第１可動役物ユニット（下扉状装飾可動役物２００）と第２可動役物ユニット（斜め突出装飾可動役物３００）の２つの可動役物ユニットにおける並び方向の配置領域を省スペース化するために、第１可動役物ユニット（下扉状装飾可動役物２００）の第１駆動機構（第２ラック＆ピニオン機構２２０）を覆うようにカバー部材（ベース部材３１０）を配置してその前方側に第２可動役物ユニット（斜め突出装飾可動役物３００）の第２可動体３２０を配置するようにし、その際、前後方向の配置領域を省スペース化するためにカバー部材（ベース部材３１０）に膨出部３１１を形成してその裏側に第１駆動機構（第２ラック＆ピニオン機構２２０）を配置すると共に膨出部３１１に隣接する非膨出部３１３に第２可動体３２０を配置し、その状態でもカバー部材（ベース部材３１０）の拡大化を抑えつつ第２可動体３２０の可動範囲を大きく確保できるように、第２可動体３２０を非膨出部３１３と隣接する膨出部３１１の前方側との間で斜め前後方向に移動するように構成した。これにより、遊技盤６上に２つの可動役物ユニット（下扉状装飾可動役物２００，斜め突出装飾可動役物３００）を効率的に配置することができ、その結果、可動役物ユニット（下扉状装飾可動役物２００，斜め突出装飾可動役物３００）の配置スペースの省スペース化を図ると共に可動役物の可動範囲を大きく確保できるという双方の効果を得ることができる。
【００８９】
すなわち、本実施の形態では、２つの可動役物ユニット２００，３００における並び方向の配置領域を省スペース化するために、第１可動役物ユニット（下扉状装飾可動役物２００）の第１駆動機構（第２ラック＆ピニオン機構２２０）を覆うようにカバー部材（ベース部材３１０）を配置してその前方側に第２可動役物ユニット（斜め突出装飾可動役物３００）の第２可動体３２０を配置するようにしたが、その際、もし図２３（ａ）に示す矢印Ｈのように、第２可動体３２０の移動方向をカバー部材（ベース部材３１０）の膨出部３１１に隣接する非膨出部３１３から遊技者側（前後方向）に設定すると、カバー部材（ベース部材３１０）と透明板１９との間の距離が短くなるため、第２可動体３２０の可動範囲を大きく確保することが困難となる。
【００９０】
また、もし図２３（ｂ）に示す矢印Ｊのように、第２可動体３２０の移動方向をカバー部材（ベース部材３１０）の膨出部３１１に隣接する非膨出部３１３から遊技盤６と平行な方向（左右方向等の横方向）に設定した場合、第２可動体３２０の可動範囲を大きく確保しようとすると遊技盤６上に広いスペースが必要となるが、遊技盤６には他の部材も多く存在するため、広いスペースを確保することは困難である。
【００９１】
そこで、本実施の形態では、図２３（ｃ）に示す矢印Ｋのように、第２可動体３２０の移動方向をカバー部材（ベース部材３１０）の膨出部３１１に隣接する非膨出部３１３から膨出部３１１に向けた斜め前後方向に設定した。これにより、狭いスペースの中で最大限、第２可動体３２０の可動範囲を大きく確保することができ、省スペース化と可動役物の可動範囲を大きく確保することを両立することができたものである
【００９２】
また、本実施の形態のパチンコ遊技機１は、前記した構成に加えて、前記第２駆動機構３３０は、前記カバー部材（ベース部材３１０）の前記非膨出部３１３に配置されている。
【００９３】
そして、本実施の形態によれば、第２可動体３２０と共に、第２駆動機構３３０もカバー部材３１０の非膨出部３１３に配置されているため、より可動役物ユニット（下扉状装飾可動役物２００，斜め突出装飾可動役物３００）の配置スペースの省スペース化を図ることができる。
【００９４】
また、本実施の形態のパチンコ遊技機１は、所定の画像を表示する表示画面２６の周囲を覆うように遊技盤６に取り付けられた装飾枠４００を備えており、該装飾枠４００にはその外周と内周を跨いで形成された発光部４０１を有しており、前記装飾枠４００は、枠状をなすように一体形成されて透光性を有する本体部材４１０と、前記発光部４０１に対応する間隙４１１，４１２を隔てて前記本体部材４１０の表面側に設けられた、遮光性を有するカバー部材（装飾カバー部材４２０）と、前記本体部材４１０の裏面側に配置されて、前記本体部材４１０における前記発光部４０１に対応する箇所を発光させる発光源（第４発光源４３０）と、を備えているパチンコ遊技機１としたことを特徴とする。
【００９５】
そして、本実施の形態によれば、装飾枠４００が、枠状をなすように一体形成されて透光性を有する本体部材４１０と、発光部４０１となる箇所に対応する間隙４１１，４１２を隔てて本体部材４１０の表面側に設けられた遮光性を有するカバー部材（装飾カバー部材４２０）と、本体部材４１０の裏面側に配置されて発光部４０１に対応する箇所を発光させる発光源（第４発光源４３０）とを備えており（すなわち、発光源（第４発光源４３０）からの光を本体部材４１０を透過させてカバー部材（装飾カバー部材４２０）の間隙４１１，４１２から出射し、装飾枠４００の発光部４０１を構成している）、当該構成の装飾枠４００において発光部４０１を発光させるようになっているため、興趣の高い発光演出を行うことができると共に、透光性を有する本体部材４１０で基本的な剛性を取って装飾枠４００の剛性を向上させ、装飾枠４００の撓みを防止することができる。
【００９６】
また、本実施の形態のパチンコ遊技機１は、前記した構成に加えて、前記装飾枠４００は、前記発光部４０１に対応する箇所に設けられ、前記本体部材４１０と一体形成又は前記本体部材４１０の裏面側に取り付けられた、透光性を有する第１台板部材４１３，４１４と、前記発光部４０１に対応する箇所以外の箇所に設けられ、前記本体部材４１０の裏面側に取り付けられた、遮光性を有する第２台板部材４４０と、を有する台板を備えており、該台板の裏面側に前記発光源（第４発光源４３０）が配置されている。
【００９７】
そして、本実施の形態によれば、より装飾枠４００の剛性を向上させることができると共に、台板４１３，４１４，４４０で装飾枠４００の装飾性を高めることも可能となる。なお、装飾枠の台板が複数の台板部材に分割されており、本実施の形態のような枠状の本体部材を有しないものでは、台板部材に収縮等により曲げ応力が生じると、台板部材が薄い板状であることから剛性が低いため、応力に負けて台板部材が撓んでしまう。そして、台板部材に撓みが発生する際に、例えば、隣り合う台板部材において、一方の台板部材のみに撓みが生じたり、双方の台板部材の撓みの程度が異なったりすると、台板部材同士の境界で段差が発生する、という不具合が生じる。その結果、装飾枠の遊技盤への取付けの作業性が低下したり、装飾枠を遊技盤に取り付けた際に台板の一部が遊技盤の盤面から浮き上がり、見栄えが悪くなったり、遊技球が衝突して台板の損傷を招くなどの問題が生じる。しかし、本実施の形態のように複数の台板部材を枠状の本体部材に取り付ける構造になっていれば、各台板部材が剛性の高い本体部材に取り付けられているため、台板部材自体に曲げ応力が生じても本体部材の剛性によって応力に耐えることができ、台板部材を撓み難くすることができる。その結果、装飾枠全体として、撓みを生じ難い状態にすることができるものである。
【００９８】
また、本実施の形態のパチンコ遊技機１は、前記した構成に加えて、前記装飾枠４００は、前記発光源（第４発光源４３０）の裏面側に、枠状をなすように一体形成された補強部材４５０を備えている。
【００９９】
そして、本実施の形態によれば、裏面側から補強部材４５０で装飾枠４００を補強することで、装飾枠４００の剛性をさらに高めることができる。
【０１００】
なお、以上説明した実施の形態は、本発明の理解を容易にするために記載されたものであって、本発明を限定するために記載されたものではない。
【０１０１】
例えば、前記した実施の形態では、第１発光装飾部材１１０と第２発光装飾部材１２０の双方が平行移動可能となっていたが、本発明はこれに限るものではなく、第１発光装飾部材のみが平行移動可能となっていても良い。また、平行移動する第１発光装飾部材は、必ずしも遊技盤の後方に位置する部材である必要はなく、第１発光装飾部材が遊技盤の前方に位置する構成でも良い。また、第１発光源及び第２発光源は、必ずしも第２発光装飾部材に配置されている必要はなく、第１発光装飾部材、第２発光装飾部材のいずれか一方に配置されていれば良い。なお、前記した実施の形態のように移動する機会の少ない部材（ここでは第２発光装飾部材）に発光源を配置しておくことで、移動する機会の多い部材（ここでは第１発光装飾部材）の重量を軽くすることができ、駆動源（ここでは第１駆動源としての第１モータ１５０）への負担を少なくすることができ、遊技機の耐久性を向上させることができるものである。
【０１０２】
また、第１発光装飾部材と第２発光装飾部材は、必ずしも互いに完全に平行に移動する必要はなく、第１及び第２発光装飾部材の一方が他方に対して少々斜めに移動するようになっていても良い。
【０１０３】
また、前記した実施の形態では、発光基板を第２発光装飾部材に対して傾斜させる構成となっていたが、これに限らず、発光基板に対して発光源を傾斜させて配置するようになっていても良い。
【０１０４】
また、前記した実施の形態では、第１発光基板１３１が収容凹部１２５に収容されて第２発光装飾部材１２０に配設されるようになっていたが、第１発光源と第２発光源で第１発光装飾部材と第２発光装飾部材を発光させることができ、かつ、第１発光基板が発光装飾部材の移動に干渉しないような位置に配置可能であれば、第１発光基板は必ずしも収容凹部に収容する必要はなく、いずれかの発光装飾部材の適宜の位置に配置されていれば良い。
【０１０５】
また、前記した実施の形態では、第１発光装飾部材１１０と第２発光装飾部材１２０が光透過性を有する半透明の部材で構成されていたが、本発明はこれに限るものではなく、発光装飾部材が、発光源からの光を発光装飾部材の内部を通さずに表面で受けて発光するような構成であれば、第１発光装飾部材と第２発光装飾部材の片方又は双方が不透明の部材で構成されていても良い。
【０１０６】
また、前記した実施の形態では、第１発光源１３２と第２発光源１３３を１つの発光基板である第１発光基板１３１に配置していたが、第１発光源１３２と第２発光源１３３は、複数の発光基板に分けて配置しても良いし、基板を有しない構成の発光源であっても良い。なお、２つの発光源を１つの発光基板で構成していると、部品点数の削減や配線の取り回しの簡素化に貢献するものとなる。
【０１０７】
また、前記した実施の形態では、第１可動役物ユニット２００の第１可動体２１０が上下方向にスライド移動するように構成されていたが、本発明はこれに限るものではなく、カバー部材の後方に第１駆動機構が配置される構成であれば、第１可動体が上下方向以外の方向（例えば、左右方向や斜め方向等）にスライドしたり、スライド以外の動き（例えば、回転等）をしたりする等、第１可動体が他の動きをするものであっても良い。
【０１０８】
また、前記した実施の形態では、第１可動役物ユニット２００と第２可動役物ユニット３００が上下方向に並べられていたが、本発明はこれに限るものではなく、第１可動役物ユニットと第２可動役物ユニットは、左右方向や斜め方向等の適宜の方向に並べられていれば良い。
【０１０９】
また、前記した実施の形態では、第２可動役物ユニット３００の第２可動体３２０が、膨出部３１１を挟んで左右方向に設けられた２箇所の非膨出部３１３にそれぞれ配置されていたが、本発明はこれに限るものではなく、例えば、第１可動役物ユニットと第２可動役物ユニットの位置関係等によっては、膨出部を挟んで上下方向又は斜め方向等、左右方向以外の位置の２箇所に非膨出部が設けられており、それぞれの非膨出部に第２可動体が設けられていても良い。
【０１１０】
また、第２可動体は必ずしも２つ設けられる必要はなく、例えば、膨出部を挟んで左右方向の２箇所に設けられた非膨出部の一方だけに、膨出部の前方側に向けて斜め前方に移動可能な第２可動体が１つだけ配置されており、非膨出部の他方には第２可動体が配置されていない場合もある。また、前記したように第１可動役物ユニットと第２可動役物ユニットの位置関係等によっては、膨出部を挟んで上下方向又は斜め方向等の左右方向以外の２箇所に設けられた非膨出部の一方だけに、膨出部の前方側に向けて斜め方向に移動可能な第２可動体が１つだけ配置されており、非膨出部の他方には第２可動体が配置されていない場合もある。
【０１１１】
また、非膨出部も必ずしも２つ設けられる必要はなく、例えば、膨出部に対して左右方向のどちらか一方だけに非膨出部が設けられており、その非膨出部から膨出部の前方側に向けて斜め前方に移動可能な第２可動体が１つだけ配置されている場合もある。また、前記したように第１可動役物ユニットと第２可動役物ユニットの位置関係等によっては、膨出部に対して上下方向又は斜め方向等の左右方向以外の方向のどちらか一方だけに非膨出部が設けられており、その非膨出部から膨出部に向けて斜め前方に移動可能な第２可動体が１つだけ配置されている場合もある。
【０１１２】
また、前記した実施の形態では、第１可動役物ユニット２００と第２可動役物ユニット３００の間には、本発明のカバー部材として、膨出部３１１を有する第２可動役物ユニット３００のベース部材３１０が設けられていたが、これに限るものではなく、本発明のカバー部材としては、第２可動役物ユニットの第２可動体を配置するベースとなるベース部材ではなく、単に第１可動役物ユニットと第２可動役物ユニットを仕切る仕切部材や、第１可動役物ユニットを覆う機能の被覆部材等であっても良い。
【０１１３】
また、前記した実施の形態では、表示画面と装飾枠とで構成される略直線的な発光演出は、２本でＸ字を形成するようになっていたが、これに限るものではなく、Ｖ字状やＹ字状等の他の略直線的な発光演出を形成するようになっていても良い。
【０１１４】
また、前記した実施の形態では、透明な部材からなる第１台板部材４１３，４１４が、本体部材４１０と一体形成されていたが、本発明はこれに限るものではなく、第１台板部材が本体部材と別部材で構成されており、本体部材の裏面側からネジ止め等によって取り付けられるようになっていても良い。なお、第１台板部材を本体部材と一体に形成する方が、第１台板部材と本体部材を別部体で構成してネジ止め等により取り付ける場合に比べて、より撓み難くなるという利点はある。
【０１１５】
また、前記した実施の形態では、本体部材４１０における間隙４１２が透明カバーを有する構成となっていたが、この透明カバーを有していない場合もあり得る。
【０１１６】
また、前記した実施の形態では、本体部材４１０や補強部材４５０等は、無端の枠状をなすものであったが、枠状の本体部材、補強部材としては、有端の枠状をなす（一部が途切れた状態）ものを含むものとする。
【０１１７】
また、前記した実施の形態では、複数の装飾カバー部材４２０及び複数の第２台板部材４４０を有し、発光部４０１を４箇所有する構成となっていたが、発光部は４箇所に限らず、１〜３箇所又は５箇所以上有する構成となっていても良い。また、発光部が１箇所だけの場合には、例えば、略Ｃ字状等の形状の１つの装飾カバー部材や、同様の形状の１つの第２台板部材を有し、当該装飾カバー部材及び第２台板部材の間隙が発光部に対応するように構成されていても良い。
【０１１８】
また、前記した実施の形態では、本体部材４１０、装飾カバー部材４２０、第１台板部材４１３，４１４及び第２台板部材４４０からなる台板、第４発光源４３０、補強部材４５０を有するものであったが、本発明はこれに限るものではなく、装飾枠の構成によっては、補強部材や台板を有していない装飾枠もあり得る。すなわち、遊技盤に装飾枠を取り付ける際に、装飾カバー部材で遊技盤に本体部材を押さえ込むことで取付けが可能なものや、装飾カバー部材及び本体部材にネジ止め可能となっている装飾枠などで、台板や補強部材がなくても剛性や装飾性を保つことができるものであれば、本体部材と装飾カバー部材と発光源を有しているのみの構成でも良い。
【符号の説明】
【０１１９】
１…パチンコ遊技機、６…遊技盤、２６…表示画面、２６ｂ…直線的画像、１００…左右扉状装飾可動役物（装飾可動役物）、１１０…第１発光装飾部材、１２０…第２発光装飾部材、１３２…第１発光源、１３３…第２発光源、２００…下扉状装飾可動役物（第１可動役物ユニット）、２１０…第１可動体、２２０…第２ラック＆ピニオン機構（第１駆動機構）、３００…斜め突出装飾可動役物（第２可動役物ユニット）、３１０…ベース部材（カバー部材）、３１１…膨出部、３１３…非膨出部、３２０…第２可動体、３３０…第２駆動機構、４００…装飾枠、４０１…発光部、４１０…本体部材、４１１，４１２…間隙、４１３，４１４…第１台板部材（台板）、４２０…装飾カバー部材（カバー部材）、４３０…第４発光源（発光源）、４４０…第２台板部材（台板）、４５０…補強部材
【図１】
2015110181.tif 000003
【図２】
2015110181.tif 000004
【図３】
2015110181.tif 000005
【図４】
2015110181.tif 000006
【図５】
2015110181.tif 000007
【図６】
2015110181.tif 000008
【図７】
2015110181.tif 000009
【図８】
2015110181.tif 000010
【図９】
2015110181.tif 000011
【図１０】
2015110181.tif 000012
【図１１】
2015110181.tif 000013
【図１２】
2015110181.tif 000014
【図１３】
2015110181.tif 000015
【図１４】
2015110181.tif 000016
【図１５】
2015110181.tif 000017
【図１６】
2015110181.tif 000018
【図１７】
2015110181.tif 000019
【図１８】
2015110181.tif 000020
【図１９】
2015110181.tif 000021
【図２１】
2015110181.tif 000022
【図２２】
2015110181.tif 000023
【図２３】
2015110181.tif 000024
【図２０】
2015110181.tif 000025